(57)【特許請求の範囲】
【請求項１】
遊技状態に応じて駆動する駆動部と、
この駆動部によって回動する軸部材と、
この軸部材に連結された第一装飾体、およびこの第一装飾体に接触する方向に付勢部材によって付勢された第二装飾体を有し、前記軸部材の回動によってこれら第一装飾体および第二装飾体が変位し、第一形態から第二形態へと形態を変えることが可能な形態変化部と、
前記第一装飾体に設けられた第一シャフトがスライド可能に係合する第一スライド部、および前記第二装飾体に設けられた第二シャフトがスライド可能に係合する第二スライド部を有し、前記第一装飾体を第一支点を中心として回動自在に支持するとともに、前記第二装飾体を第二支点を中心として回動自在に支持するベース部材と、
を備え、
前記形態変化部が第一形態にあるときに前記軸部材を一方へ回動させると、この回動する軸部材に連結された第一装飾体が前記付勢部材によって付勢された前記第二装飾体を押圧することにより前記軸部材の回動力が両装飾体を介して前記ベース部材まで伝達されて当該ベース部材が回動し、少なくとも前記第一装飾体による押圧力により前記第二装飾体が前記付勢部材の付勢力に抗して前記第二支点を中心として前記第二シャフトを前記第二スライド部に係合させながら第二方向に回動するとともに、前記一方へ回動する軸部材に連結された第一装飾体が前記第一支点を中心として前記第一シャフトを前記第一スライド部に係合させながら第一方向に回動し、前記形態変化部が前記第二形態へと変化することを特徴とする遊技機。
【請求項２】
前記ベース部材には、第一ロック部が設けられ、
前記ベース部材の後方には、前記第一ロック部と対になる第二ロック部が設けられており、
前記形態変化部が前記第二形態にあるときに前記軸部材を他方へ回動させると、前記ロック部同士が噛み合うことにより前記ベース部材の回動が規制されて、当該他方へ回動する軸部材に連結された第一装飾体が前記第一支点を中心として前記第一シャフトを前記第一スライド部に係合させながら前記第一方向の反対方向に回動するとともに、前記第二装飾体が前記付勢部材の付勢力によって前記第二支点を中心として前記第二シャフトを前記第二スライド部に係合させながら前記第二方向の反対方向に回動し、前記形態変化部が前記第一形態へと変化することを特徴とする請求項１に記載の遊技機。
【請求項３】
前記第一スライド部の形状と前記第二スライド部の形状とは異なることを特徴とする請求項１または請求項２に記載の遊技機。
【請求項４】
前記第二スライド部は、前記第二方向が前記軸部材の中心側から外側に向かう方向となるように形成されていることを特徴とする請求項３に記載の遊技機。
【請求項５】
前記形態変化部は、ある一つの第一装飾体とそれに接触する一つの第二装飾体を含む装飾体組を複数有し、
前記形態変化部が前記第一形態にあるときには、ある装飾体組を構成する第一装飾体は、隣り合う別の装飾体組を構成する第二装飾体と重なっていることを特徴とする請求項１から請求項４のいずれか一項に記載の遊技機。
【請求項６】
前記形態変化部が前記第一形態にあるときには、前記第一シャフトおよび前記第二シャフトは、それぞれ前記第一スライド部および前記第二スライド部の一端にあり、
前記形態変化部が前記第二形態にあるときには、前記第一シャフトおよび前記第二シャフトは、それぞれ前記第一スライド部および前記第二スライド部の他端にあることを特徴とする請求項１から請求項５のいずれか一項に記載の遊技機。
【請求項７】
前記形態変化部が前記第一形態にあるときには、前記第一装飾体および前記第二装飾体の全部が前記ベース部材の外縁よりも内側にあり、
前記形態変化部が前記第二形態にあるときには、少なくとも前記第二装飾体の一部が前記ベース部材の外縁よりも外側に突出することを特徴とする請求項１から請求項６のいずれか一項に記載の遊技機。
【請求項８】
前記軸部材を前記第一シャフトに連結する連結部材を備え、
前記軸部材の回動に伴って前記連結部材が回動することで、前記第一シャフトが前記第一スライド部をスライドすることを特徴とする請求項１から請求項７のいずれか一項に記載の遊技機。
【請求項９】
前記ベース部材の後方には、発光部が設けられており、
前記ベース部材には、複数の反射部と複数の開口部が形成されていることを特徴とする請求項１から請求項８のいずれか一項に記載の遊技機。
【発明の詳細な説明】
【技術分野】
【０００１】
本発明は、遊技状態に応じて形態を変化させる演出用の形態変化部を備えたパチンコ遊技機などの遊技機に関する。
【背景技術】
【０００２】
例えば特許文献１には、回動させることによって外観が変化する回動装飾体ユニット（３１００）を備えた遊技機が記載されている。かかる回動装飾体ユニットは、回動によって発生する遠心力によって、回動装飾体（３１０２）の一部を回動部材（３１１２，３１１４）よりも外側に突出させるものである。
【先行技術文献】
【特許文献】
【０００３】
【特許文献１】特開２０１０−２７９５４８号公報
【発明の概要】
【発明が解決しようとする課題】
【０００４】
しかし、上記回動装飾体ユニットにおいて、遠心力を受けた回動装飾体は、その第二軸部材（３１１８）が案内部（３１１２ｂ）をスライドしつつ、第一軸部材（３１１６）を中心として回動する。したがって、回動の支点となる第一軸部材には相当な負荷がかかり、破損してしまうおそれがある。
【０００５】
上記実情に鑑み、本発明が解決しようとする課題は、形態変化部やこの形態を変化させるための構成に対する負荷が抑制される遊技機を提供することにある。
【課題を解決するための手段】
【０００６】
上記課題を解決するためになされた請求項１の発明にかかる遊技機は、遊技状態に応じて駆動する駆動部と、この駆動部によって回動する軸部材と、この軸部材に連結された第一装飾体、およびこの第一装飾体に接触する方向に付勢部材によって付勢された第二装飾体を有し、前記軸部材の回動によってこれら第一装飾体および第二装飾体が変位し、第一形態から第二形態へと形態を変えることが可能な形態変化部と、前記第一装飾体に設けられた第一シャフトがスライド可能に係合する第一スライド部、および前記第二装飾体に設けられた第二シャフトがスライド可能に係合する第二スライド部を有し、前記第一装飾体を第一支点を中心として回動自在に支持するとともに、前記第二装飾体を第二支点を中心として回動自在に支持するベース部材と、を備え、前記形態変化部が第一形態にあるときに前記軸部材を一方へ回動させると、この回動する軸部材に連結された第一装飾体が前記付勢部材によって付勢された前記第二装飾体を押圧することにより前記軸部材の回動力が両装飾体を介して前記ベース部材まで伝達されて当該ベース部材が回動し、少なくとも前記第一装飾体による押圧力により前記第二装飾体が前記付勢部材の付勢力に抗して前記第二支点を中心として前記第二シャフトを前記第二スライド部に係合させながら第二方向に回動するとともに、前記一方へ回動する軸部材に連結された第一装飾体が前記第一支点を中心として前記第一シャフトを前記第一スライド部に係合させながら第一方向に回動し、前記形態変化部が前記第二形態へと変化することを要旨とする。
【０００７】
請求項２に記載の発明は、請求項１に記載の遊技機において、前記ベース部材には、第一ロック部が設けられ、前記ベース部材の後方には、前記第一ロック部と対になる第二ロック部が設けられており、前記形態変化部が前記第二形態にあるときに前記軸部材を他方へ回動させると、前記ロック部同士が噛み合うことにより前記ベース部材の回動が規制されて、当該他方へ回動する軸部材に連結された第一装飾体が前記第一支点を中心として前記第一シャフトを前記第一スライド部に係合させながら前記第一方向の反対方向に回動するとともに、前記第二装飾体が前記付勢部材の付勢力によって前記第二支点を中心として前記第二シャフトを前記第二スライド部に係合させながら前記第二方向の反対方向に回動し、前記形態変化部が前記第一形態へと変化するところに特徴を有する。
【０００８】
請求項３に記載の発明は、請求項１または請求項２に記載の遊技機において、前記第一スライド部の形状と前記第二スライド部の形状とは異なるところに特徴を有する。
【０００９】
請求項４に記載の発明は、請求項３に記載の遊技機において、前記第二スライド部は、前記第二方向が前記軸部材の中心側から外側に向かう方向となるように形成されているところに特徴を有する。
【００１０】
請求項５に記載の発明は、請求項１から請求項４のいずれか一項に記載の遊技機において、前記形態変化部は、ある一つの第一装飾体とそれに接触する一つの第二装飾体を含む装飾体組を複数有し、前記形態変化部が前記第一形態にあるときには、ある装飾体組を構成する第一装飾体は、隣り合う別の装飾体組を構成する第二装飾体と重なっているところに特徴を有する。
【００１１】
請求項６の発明は、請求項１から請求項５のいずれか一項に記載の遊技機において前記形態変化部が前記第一形態にあるときには、前記第一シャフトおよび前記第二シャフトは、それぞれ前記第一スライド部および前記第二スライド部の一端にあり、前記形態変化部が前記第二形態にあるときには、前記第一シャフトおよび前記第二シャフトは、それぞれ前記第一スライド部および前記第二スライド部の他端にあるところに特徴を有する。
【００１２】
請求項７の発明は、請求項１から請求項６のいずれか一項に記載の遊技機において、前記形態変化部が前記第一形態にあるときには、前記第一装飾体および前記第二装飾体の全部が前記ベース部材の外縁よりも内側にあり、前記形態変化部が前記第二形態にあるときには、少なくとも前記第二装飾体の一部が前記ベース部材の外縁よりも外側に突出するところに特徴を有する。
【００１３】
請求項８の発明は、請求項１から請求項７のいずれか一項に記載の遊技機において、前記軸部材を前記第一シャフトに連結する連結部材を備え、前記軸部材の回動に伴って前記連結部材が回動することで、前記第一シャフトが前記第一スライド部をスライドするところに特徴を有する。
【００１４】
請求項９の発明は、請求項１から請求項８のいずれか一項に記載の遊技機において、前記ベース部材の後方には、発光部が設けられており、前記ベース部材には、複数の反射部と複数の開口部が形成されているところに特徴を有する。
【発明の効果】
【００１５】
請求項１に記載の発明によれば、形態変化部が第一形態から第二形態へと変化する際、付勢部材によって付勢された第二装飾体が少なくとも第一装飾体による押圧力により回動するとともに、回動する軸部材に連結された第一装飾体も回動する。このように、第二装飾体を第一付勢部材の方向に付勢する付勢部材の付勢力に抗して第二装飾体および第一装飾体が回動する構成であるから、装飾体（形態変化部）の第一シャフト、第二シャフトや、ベース部材の第一スライド部、第二スライド部等に対する負荷を抑制することが可能になる。
【００１６】
形態変化部を第二形態から第一形態に変化させる（戻す）際には、ベース部材の回動（空回り）を規制する必要があるところ、請求項２に記載の発明のように、軸部材を他方へ回動させたとき（回動させようとしたとき）に第一ロック部と第二ロック部との噛み合いによってベース部材の回動が規制される構成とすれば、当該ロック部にかかる負荷を抑制することが可能となる。なお、例えば、上記特許文献１に記載の構成であれば、回動ロック機構（３１２６）のロック片（３１２８ａ）でベース部材の回動を直接停止させる構成であるため、ロック部（ロック片）にかかる負荷が大きく、ロック部が破損してしまうおそれがあるが、本請求項にかかる遊技機はこのようなおそれはない。
【００１７】
形態変化部の変化の態様は、第一スライド部の形状と第二スライド部の形状（第一方向と第二方向）によって決まる。請求項３に記載の発明のように、第一スライド部の形状と第二スライド部の形状を異なる形状とすることにより、形態変化部の変化の態様を自在に設定することが可能となる。
【００１８】
請求項４に記載の発明によれば、軸部材の回動に伴って装飾体が段々と外側に広がるような形態変化部の変化の態様とすることが可能となる。
【００１９】
請求項５に記載の発明のように、ある装飾体組を構成する第一装飾体が隣り合う別の装飾体組を構成する第二装飾体に重なるようにすれば、ベース部材の前面の殆どが常に（第一形態および第二形態のいずれの状態であっても）装飾体で覆われた綺麗な形態変化部とすることが可能である。
【００２０】
請求項６に記載の発明のように、形態変化部が第一形態にあるときに第一シャフトおよび第二シャフトが第一スライド部および第二スライド部の一端に位置し、形態変化部が第二形態にあるときに第一シャフトおよび第二シャフトが第一スライド部および第二スライド部の他端に位置する構成とすれば、形態変化部の変化の大きさに合わせたスライド部の大きさにすることが可能である。
【００２１】
第一スライド部と第二スライド部の形状や形成する位置等によっては、請求項７に記載の発明のように、装飾体の全部がベース部材の外縁よりも内側にある状態から、装飾体の一部をベース部材の外縁より外側に突出させるように形態変化部を変化させることが可能である。
【００２２】
請求項８に記載の発明によれば、連結部材を介して駆動部（軸部材）の回動力を簡単に第一シャフトに伝達することが可能となる。
【００２３】
請求項９に記載の発明によれば、ベース部材に形成された複数の反射部により、後方の発光部から出射された光をあらゆる方向に拡散させることが可能となる。また、ベース部材に複数の開口部が形成されており、反射部によって拡散された光は開口部を通過して、ベース部材の外縁付近を照らすことになるため、上述のように装飾体の少なくとも一部をベース部材の外縁より外側に突出させるように形態変化部を変化させる構成とするのであれば、当該突出した装飾体の一部をも照らすことが可能となる。
【図面の簡単な説明】
【００２４】
【図１】本発明の一実施形態にかかる遊技機（遊技盤）の正面図である。
【図２】遊技機の裏側を示した図である。
【図３】形態変化ユニットの外観斜視図である。
【図４】第一形態にある形態変化ユニットの正面図である。
【図５】第二形態にある形態変化ユニットの正面図である。
【図６】形態変化ユニットの分解斜視図である。
【図７】図７（ａ）は装飾体組の正面図、図７（ｂ）は装飾体組を前方から見た外観斜視図、図７（ｃ）は装飾体組の背面図、図７（ｄ）は装飾体組の側面図、図７（ｅ）は装飾体組を後方から見た外観斜視図である。
【図８】図８（ａ）はベース部材の正面図、図８（ｂ）はベース部材の背面図、図８（ｃ）はベース部材を後方から見た外観斜視図である。
【図９】図９（ａ）は一の装飾体組以外の装飾体組を取り外した第一形態にある形態変化ユニットの正面図、図９（ｂ）は一の装飾体組以外の装飾体組を取り外した第二形態にある形態変化ユニットの正面図である。
【図１０】図１０（ａ）は一の装飾体組以外の装飾体組を取り外した第一形態にある形態変化ユニットの背面図、図１０（ｂ）は一の装飾体組以外の装飾体組を取り外した第二形態にある形態変化ユニットの背面図である。
【図１１】ベース部材が一方に回動しているときのロック機構の模式図である。
【図１２】他方に回動しようとしたベース部材の回動が阻止されるとき（ロック機能が働いているとき）のロック機構の模式図である。
【発明を実施するための形態】
【００２５】
以下、本発明にかかる実施形態について図面を参照して詳細に説明する。なお、以下の説明において単に前側（前方）とは遊技機１正面側のことであり、単に後側（後方）とは遊技機１の背面側のことである。
【００２６】
（遊技機の全体構成）
図１および図２を参照して遊技機１の全体構成について簡単に説明する。遊技機１の骨格は、周知の構成が適用できる。例えば、額縁形状の機枠に前面枠が回動自在に支持されてなる。前面枠には、前側から遊技盤９０を視認可能とする透明な板が設けられている。
【００２７】
遊技盤９０は、ほぼ正方形の合板により成形されており、前面枠に着脱可能に取り付けられている。この遊技盤９０には、発射装置から発射された遊技球をガイドする金属製の薄板からなる帯状のガイドレール９１が略円弧形状となるように設けられており、このガイドレール９１によって遊技領域の外郭の一部が形成されている。
【００２８】
遊技盤９０の遊技領域には、表示装置９２、始動入賞口９３１、大入賞口９３２、アウト口９３３などが設けられている。表示装置９２は、例えば液晶表示装置が用いられ、表示装置９２の表示画面（表示部）において特別図柄や普通図柄等が表示される。かかる表示装置９２の表示画面は、遊技盤９０に形成された開口を通じて視認可能である。
【００２９】
また、遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００３０】
さらに、表示装置９２の周辺には、遊技の装飾効果（演出効果）を高めるための形態変化ユニット２が設けられている。形態変化ユニット２は、遊技の興趣を高めるための所定の演出動作を行う。かかる形態変化ユニット２の構成の詳細については後述する。なお、図１に示すように、詳細を後述する形態変化ユニット２が有する形態変化部３０は、表示装置９２の表示画面の前側に位置することがある。詳述すると、形態変化ユニット２が有する形態変化部３０は、通常時は表示装置９２と重ならない場所にあるものの、演出時に表示装置９２と重なる場所まで降下することで表示画面の前側に位置することがある。
【００３１】
図２に示すように、遊技機１の背面側には、センターベースユニット９４に主制御基板９４１、サブ制御基板９４２、演出制御基板９４３、サブドライブ基板９４４等の各種制御基板（以下これらを一括りにして制御手段と称する）や、発射装置、球タンク、レール等が設けられている。
【００３２】
このような遊技機１では、発射ハンドルの操作により、発射装置から遊技領域に遊技球を発射し、遊技領域を流下する遊技球が、始動入賞口９３１や大入賞口９３２等の入賞口に入賞すると、所定の数の賞球が払出装置により払い出される。その他、大当たりの抽選方法等は、公知の遊技機の制御方法が適用できるため、説明は省略する。
【００３３】
（形態変化ユニットの構成）
以下、遊技機１が備える形態変化ユニット２の構成について図面を参照して説明する。形態変化ユニット２は、遊技機１の制御手段によって制御される駆動部１０と、駆動部１０に連結された軸部材２０と、遊技演出用の役物（可動部材）である形態変化部３０と、形態変化部３０を支持するベース部材４０と、を備える。以下、各構成について詳細に説明する。
【００３４】
駆動部１０は、形態変化部３０を駆動させるための駆動源である。本実施形態では、モータを用いている。図６に示すように、駆動部１０であるモータの回転軸には出力歯車１１が固定されている。出力歯車１１には被動歯車２１が噛合されている。駆動部１０は、形態変化ユニット２の形態変化部３０が設けられた側の反対側を覆うケース体であるカバー部材５０に固定されている。
【００３５】
軸部材２０は、駆動部１０の駆動によって回動する部材である。図６に示すように、軸部材２０の後側には、被動歯車２１が固定されている。上述したように、被動歯車２１は出力歯車１１に噛合している。すなわち、駆動部１０と軸部材２０とは、出力歯車１１と被動歯車２１を介して連結（連繋）されている。軸部材２０は、カバー部材５０に形成された貫通孔である支持孔５１に回動自在に係合されている。つまり、支持孔５１は、軸部材２０を回動自在に支持する軸受部である。かかる構成により、駆動部１０が駆動し出力歯車１１が回動すると、それに噛合する被動歯車２１とともに軸部材２０が回動する。
【００３６】
図３〜図７、図９に示す形態変化部３０は、軸部材２０の回動状態に応じて第一形態から第二形態へと形態を変えることが可能な遊技演出用の役物である。本実施形態では、形態変化部３０は、花びらが閉じた状態である第一形態（図４に示す状態）から花びらが開いた状態である第二形態（図５に示す状態）へと変化する「花」役物を構築する。この形態変化部３０と軸部材２０とは、図６に示す連結部材６０を介して連結（連繋）されている。連結部材６０は、円盤状の部材であり、その中央に軸部材２０の先端（前側端部）が固定されている。したがって、軸部材２０が回動すると連結部材６０は回動する。また、連結部材６０の鍔部６１には、周方向（軸部材２０の回動軸を中心とする円の周方向。以下同じ）等間隔に形成された貫通孔である、後述する第一シャフト３１１が挿通される複数（本実施形態では五つ）の第一シャフト挿通孔６２が形成されている。
【００３７】
形態変化部３０は、一つの第一装飾体３１と一つの第二装飾体３２とから構成される複数（本実施形態では五つ）の装飾体組（後述する付勢部材３２５で繋がる第一装飾体３１と第二装飾体３２から構成される組）を有する。第一装飾体３１は、「花」の花びらの一部を構成するものであって、第二装飾体３２よりも前側かつ「花」の中心側に位置する。第二装飾体３２は、「花」の花びらの一部を構成するものであって、第一装飾体３１よりも後側かつ「花」の外側に位置する。つまり、第一装飾体３１と第二装飾体３２の境界には、前後方向における段差が存在する。
【００３８】
図７に示すように、各第一装飾体３１の背面には、後方に向かって延びる第一シャフト３１１が設けられている。各第二装飾体３２の背面には、後方に向かって延びる第二シャフト３２１が設けられている。第二装飾体３２は、第一装飾体３１よりも径方向（軸部材２０の回動軸を中心とする円の径方向。以下同じ）外側に位置していることから、第二シャフト３２１は第一シャフト３１１よりも径方向外側に位置する。
【００３９】
第一シャフト３１１および第二シャフト３２１の両シャフトには、付勢部材３２５（引っ張りばね）が繋げられている。すなわち、第一シャフト３１１に付勢部材３２５の一端が、第二シャフト３２１に付勢部材３２５の他端が繋げられている。後述するように、第一装飾体３１および第二装飾体３２はベース部材４０に回動自在に支持されるが、この付勢部材３２５によって第一装飾体３１と第二装飾体３２は互いに近づく方向、換言すれば、第二装飾体３２が第一装飾体３１に接触する方向に付勢されている。
【００４０】
第二装飾体３２の背面における第二装飾体３２側には、後方に向かって突出した押圧突起３１３が設けられている。また、第一装飾体３１の背面には、後方に向かって突出した筒状の第一軸受部３１４が設けられている。一方、第二装飾体３２の背面には、第一装飾体３１の方向に向かって延びる板状の部分である被押圧部３２３が設けられている。付勢部材３２５によって第二装飾体３２は第一装飾体３１側に付勢されており、少なくとも形態変化部３０が第一形態から第二形態に変化する際に第一装飾体３１の押圧突起３１３が被押圧部３２３に接触するように構成されている。被押圧部３２３の先端には、後方に向かって突出した筒状の第二軸受部３２４が設けられている。
【００４１】
図３および図４に示すように、形態変化部３０が第一形態にあるとき、ある装飾体組を構成する第一装飾体３１は、隣り合う別の装飾体組を構成する第二装飾体３２と重なっている。つまり、第一装飾体３１と第二装飾体３２の境界に存在する段差を利用して、形態変化部３０が第一形態にあるときにはある装飾体組の第一装飾体３１と隣り合う別の装飾体組の第二装飾体３２とが重なりあうようにしている。本実施形態では、形態変化部３０が第一形態にあるとき、各第二装飾体３２の大部分が、隣り合う第一装飾体３１に覆われた状態にある。
【００４２】
なお、上記連結部材６０の中央には、前側に向かって突出した筒状部６３が形成されている。この筒状部６３には、「花」の中央部分の花びらを構成する中央装飾体３３が固定されている。軸部材２０が回動によって連結部材６０が回動すると、中央装飾体３３も回動する。
【００４３】
図６、図８〜図１０に示すベース部材４０は、形態変化部３０に所定の形態変化動作を行わせるための円盤状の部材である。ベース部材４０の中央には、軸部材２０が通る貫通孔４３が形成されている。また、ベース部材４０の径方向内側（中央）寄りの部分は、径方向外側寄りの部分よりも後側に窪んでいる（以下当該部分を窪み４４と称することもある）。この窪んだ径方向内側寄りの部分には、円弧状の長孔である第一スライド部４１が周方向等間隔に複数（本実施形態では五つ）形成されている。この第一スライド部４１の円弧の中心は、第一スライド部４１よりも径方向外側に位置する。一方、径方向外側寄りの部分には、軸部材２０（ベース部材４０）の中心側から外側に向かう長孔である第二スライド部４２が周方向等間隔に複数（本実施形態では五つ）形成されている。このように、ベース部材４０には、形状の異なる（長孔の延びる方向が異なる）二種類のスライド部が形成されている。本実施形態では、第一スライド部４１および第二スライド部４２は、ベース部材４０に貫通した長孔を設けることで形成しているが、例えば、ベース部材４０に貫通しない程度の凹形状を設けることで形成してもよいし、ベース部材４０上に凸形状を設けることで形成してもよい。
【００４４】
また、ベース部材４０には、第一スライド部４１よりも径方向外側であり、周方向に並ぶ第二スライド部４２同士の間に位置する第一装飾体支持軸４８が形成されている。この第一装飾体支持軸４８は、第一装飾体３１の第一軸受部３１４に係合される。つまり、第一装飾体３１は、その第一シャフト３１１を第一スライド部４１に係合させた状態で、第一軸受部３１４に係合された第一装飾体支持軸４８を支点として回動自在に支持されている。このベース部材４０が第一装飾体３１を回動自在に支持する支点を第一支点と称する。すなわち、第一支点の位置は第一装飾体支持軸４８が設けられた位置となる。本実施形態では、図１０に示す矢印Ｓ１の方向であって、形態変化部３０を第一形態から第二形態に変化させる際に第一装飾体３１がベース部材４０に対して相対的に回動する方向、具体的にはベース部材４０の径方向外側に向かう回動方向を「第一方向」と称する。
【００４５】
さらに、ベース部材４０には、第一スライド部４１および第一装飾体支持軸４８よりも径方向外側であり、周方向に並ぶ第二スライド部４２の間に位置する第二装飾体支持軸４９が形成されている。この第二装飾体支持軸４９は、第二装飾体３２の第二軸受部３２４に係合される。つまり、第二装飾体３２は、その第二シャフト３２１を第二スライド部４２に係合させた状態で、第二軸受部３２４に係合された第二装飾体支持軸４９を支点として回動自在に支持されている。このベース部材４０が第二装飾体３２を回動自在に支持する支点を第二支点と称する。すなわち、第二支点の位置は第二装飾体支持軸４９が設けられた位置となる。本実施形態では、図１０に示す矢印Ｓ２の方向であって、形態変化部３０を第一形態から第二形態に変化させる際に第二装飾体３２がベース部材４０に対して相対的に回動する方向、具体的にはベース部材４０の径方向外側に向かう回動方向を「第二方向」と称する。上記付勢部材３２５の付勢力の方向は、この第二方向の反対方向である。
【００４６】
各第一スライド部４１は、各第一シャフト３１１に対応して設けられたスライド部である。第一装飾体３１に固定された各第一シャフト３１１は、連結部材６０の各第一シャフト挿通孔６２およびベース部材４０の各第一スライド部４１を通る。第一シャフト３１１の先端（後側端部）には、円盤状の第一スライド体３１２が固定されている。すなわち、本実施形態において第一シャフト３１１は、第一スライド体３１２を介して第一スライド部４１に係合している。駆動部１０が駆動すると、軸部材２０とともに連結部材６０が回動する。この駆動部１０の動力は、回動する連結部材６０を介して、各第一シャフト挿通孔６２に挿通されている各第一シャフト３１１を通じて第一装飾体３１に伝達される。この動力を受けた各第一装飾体３１は、第一支点（第一装飾体支持軸４８および第一軸受部３１４）を中心（軸）として第一シャフト３１１が各第一スライド部４１を移動することが可能な方向、すなわち上記第一方向に回動しようとする（詳細は後述の動作説明参照）。
【００４７】
各第二スライド部４２は、各第二シャフト３２１に対応して設けられたスライド部である。各第二シャフト３２１は、連結部材６０の外側を通ってベース部材４０の各第二スライド部４２を通る。第二シャフト３２１の先端（後側端部）には、円盤状の第二スライド体３２２が固定されている。この第二スライド体３２２は、貫通した長孔である第二スライド部４２の周縁に係合している。すなわち、本実施形態において第二シャフト３２１は、第二スライド体３２２を介して第二スライド部４２に係合している。駆動部１０が駆動すると、上述のように第一装飾体３１は、各第一シャフト３１１が各第一スライド部４１を移動することが可能な方向に回動しようとする。これにより、第一装飾体３１の押圧突起３１３が第二装飾体３２の被押圧部３２３を押圧する。この力を受けた第二装飾体３２は、第二支点（第二装飾体支持軸４９および第二軸受部３２４）を中心（軸）として第二シャフト３２１が各第二スライド部４２を移動することが可能な方向、すなわち上記第二方向に回動することになる（詳細は後述の動作説明参照）。
【００４８】
また、ベース部材４０における窪んだ径方向内側寄りの部分の大きさ（径）は、連結部材６０の大きさ（径）よりも大きく設定され、窪み４４の深さは、連結部材６０の鍔部６１の厚みよりも大きく設定されている。形態変化ユニット２が組立てられた状態では、連結部材６０はこの窪み４４内に収まる。つまり、軸部材２０の回動に伴い、連結部材６０はベース部材４０の窪み４４内で回動する。このように、連結部材６０を窪み４４内に収めることで、窪み４４がない場合に比べ、ベース部材４０と形態変化部３０との間の距離を縮めることが可能となる。また、窪み４４がない場合に比べ、ベース部材４０と各第二装飾体３２を連結する各第二シャフト３２１の長さを短くすることが可能となる。さらに、連結部材６０を窪み４４内に収めることで、形態変化ユニット２が薄くなり、遊技機１の前後方向の限られたスペースを有効に活用することが可能となる。
【００４９】
また、図８に示すように、ベース部材４０の周縁には、後方に向かって起立した側壁４５が形成されている。この側壁４５には、開口部４５１（側壁４５の一部が切り欠かれたもの）が形成されている。開口部４５１は、周方向等間隔に複数形成されている。
【００５０】
さらに、図８に示すように、側壁４５の内側には、後方に向かって突出した第一ロック部４６が形成されている。第一ロック部４６は、のこぎりの歯のように凹凸が交互に並んだ部分である。第一ロック部４６を構成する各歯４６１は、直角三角形状に形成されている。当該直角三角形の斜面は、一方に向かうにしたがって歯４６１の高さが低くなるように傾斜している。
【００５１】
また、図８に示すように、ベース部材４０の後面（側壁４５に囲まれた内底面）には、反射部４７（反射ドット）が形成されている。反射部４７は、後述する発光部７０からの光を乱反射させて拡散させるものである。
【００５２】
さらに、図６に示すように、形態変化ユニット２は、ベース部材４０の後方に発光部７０を備える。発光部７０は、板状の光源支持部材７１の前面に複数の光源７２（例えばＬＥＤ光源）が点在するように配置したものである。かかる光源７２から出射した光は、ベース部材４０の反射部４７によって拡散し、面状の光となって形態変化部３０を後方から照らす。また、光の一部はベース部材４０に形成された開口部４５１を通り、形態変化部３０の外側を照らす。
【００５３】
また、光源７２を支持する光源支持部材７１の外縁には、上記第一ロック部４６と向かい合う第二ロック部８０が形成されている。第二ロック部８０は、前方に向かって突出したのこぎりの歯のように凹凸が交互に並んだ部分である。第二ロック部８０を構成する各歯８０１は、直角三角形状に形成されている。当該直角三角形の斜面は、一方に向かうにしたがって歯８０１の高さが高くなるように傾斜している。また、第二ロック部８０は、前後方向にスライド可能であり、ロック用付勢部材８１によって第一ロック部４６の方向に付勢されている。つまり、第二ロック部８０は、常に第一ロック部４６に押しつけられた状態にある。このロック用付勢部材８１によって付勢された第二ロック部８０と上記第一ロック部４６によって、形態変化部３０を第二形態から第一形態に変化させる際のロック機構を構成する。
【００５４】
ロック機構は、ベース部材４０の一方への回動は規制せず、その反対方向（他方）へのベース部材４０の回動を規制するものである。図１１に示すように、ベース部材４０が一方（図１１においてＣ１で示す）へ回動する際には、第一ロック部４６の各歯４６１の頂点によって第二ロック部８０がロック用付勢部材８１の付勢力に抗して後方に押されつつ、第二ロック部８０の各歯８０１が第一ロック部４６の各歯４６１を乗り越えていく。したがって、ベース部材４０は一方には回動可能である。これに対し、図１２に示すように、ベース部材４０が他方（図１２においてＣ２で示す）に回動する際には、第一ロック部４６の各歯４６１が、第一ロック部４６の方向に付勢された第二ロック部８０の各歯８０１の間（谷）に引っ掛かった状態となる。別の見方をすれば、付勢された第二ロック部８０の各歯８０１が、第一ロック部４６の各歯４６１の間（谷）に引っ掛かった状態となる。したがって、ベース部材４０は他方に回動することはできない。後述するように、形態変化部３０が第二形態から第一形態へ変化する際、ロック機構が機能し、ベース部材４０の他方への回動が阻止される。
【００５５】
（形態変化ユニットの動作）
以下、上記構成を備える形態変化ユニット２の動作について、一部上記説明と重複するが詳細に説明する。
【００５６】
１）第一形態から第二形態への形態変化動作
形態変化部３０が第一形態にあるとき、形態変化部３０を構成する第一装飾体３１および第二装飾体３２は、閉じた状態の「花」を構築する。図４および図９（ａ）に示すように、この閉じた状態の「花」を構築する第一装飾体３１および第二装飾体３２は、その全部がベース部材４０の外縁よりも内側にある。このとき、図１０（ａ）に示すように、第一装飾体３１の第一シャフト３１１（第一スライド体３１２）は、対応する第一スライド部４１の一端に位置する。また、第二装飾体３２の第二シャフト３２１（第二スライド体３２２）は、対応する第二スライド部４２の一端に位置する。
【００５７】
第一形態にある形態変化部３０を第二形態に変化させる際には、制御手段は駆動部１０を動作させ、軸部材２０を一方へ回動（正転）させる。軸部材２０を一方へ回動させようとすると、その先端に固定された連結部材６０も当該方向に回動しようとする。連結部材６０が当該方向に回動しようとすると、連結部材６０の各第一シャフト挿通孔６２に挿通された各第一シャフト３１１が当該方向へ移動しようとする。つまり、駆動部１０の動力が各第一シャフト３１１を通じて第一装飾体３１まで伝達される。上記駆動部１０の動力が伝達された第一装飾体３１は、第一シャフト３１１を第一スライド部４１に係合させながら、第一支点（第一装飾体支持軸４８および第一軸受部３１４）を中心（軸）として第一方向に回動しようとする。
【００５８】
第一装飾体３１が第一方向に回動しようとすると、第一装飾体３１の押圧突起３１３が第二装飾体３２の被押圧部３２３を押圧する。すなわち、第一装飾体３１は、第一装飾体３１に近づく方向に付勢された第二装飾体３２に作用する付勢部材３２５の付勢力に抗して第二装飾体３２を第二方向に回動させようとする。しかし、本実施形態では、この押圧力が付勢部材３２５の付勢力を超えることはないように（ベース部材４０が回動する前の状態においては第二装飾体３２を第二方向に回動させようとする力が付勢部材３２５の付勢力を超えないように）設定されているため、この時点で第二装飾体３２はベース部材４０に対して相対的に第二方向に回動しない。そのため、第一装飾体３１もベース部材４０に対して相対的に第一方向に回動しない。
【００５９】
第二装飾体３２を第二方向に回動させるだけの押圧力が生じないということは、第二装飾体３２に作用した軸部材２０（駆動部１０）の回動力は、ベース部材４０を回動させる力として機能する。つまり、軸部材２０の回動力は、第一装飾体３１および第二装飾体３２（本実施形態では、軸部材２０と第一装飾体３１を繋ぐ連結部材６０を含む）を介してベース部材４０に伝達される。すなわち、ベース部材４０は軸部材２０と同じ方向に回動する。なお、このときベース部材４０は図１１に示すＣ１の方向に回動しようとするから、上述したロック機構によってその回動は阻止されない。
【００６０】
このようにベース部材４０が回動すると、ベース部材４０に支持された第一装飾体３１および第二装飾体３２はベース部材４０の周方向に移動する。したがって、第一装飾体３１および第二装飾体３２には遠心力が生ずる。本実施形態では、ベース部材４０が一定速度以上で回動し、第二装飾体３２に一定以上の遠心力が生じたとき、当該遠心力と第一装飾体３１が第二装飾体３２を押圧する力の和が付勢部材３２５の付勢力を超える。つまり、第二装飾体３２は、付勢部材３２５の付勢力に抗してベース部材４０に対して第二支点（第二装飾体支持軸４９および第二軸受部３２４）を中心（軸）として相対的に第二方向に回動する。このように第二装飾体３２が回動すると、この第二装飾体３２を押圧していた第一装飾体３１もベース部材４０に対して第一支点（第一装飾体支持軸４８および第一軸受部３１４）を中心（軸）として相対的に第一方向に回動する。つまり、両装飾体がベース部材４０の径方向外側に向かう方向に回動し、形態変化部３０によって第二装飾体３２が大きく外側に広がった「花」の開いた状態である第二形態が構築される。すなわち、形態変化部３０は回動する開いた「花」を構築する。図１０（ｂ）に示すように、第二形態が構築されたとき、第一装飾体３１の第一シャフト３１１（第一スライド体３１２）は、対応する第一スライド部４１の他端に位置する。また、第二装飾体３２の第二シャフト３２１（第二スライド体３２２）は、対応する第二スライド部４２の他端に位置する。図５および図９（ｂ）に示すように、形態変化部３０が第二形態にあるとき、第二装飾体３２の一部がベース部材４０の外縁よりも外側に突出する。
【００６１】
なお、上述したように、形態変化部３０が第一形態にあるとき、ある装飾体組を構成する第一装飾体３１は、隣り合う別の装飾体組を構成する第二装飾体３２と重なっており、隣り合う第一装飾体３１同士は近接している。したがって、第一形態にある各装飾体が第二形態に向かって形態を変化させる際に、隣り合う第一装飾体３１同士が干渉しないような装飾体形状とする必要がある。
【００６２】
このように、本実施形態では、第一装飾体３１による押圧力およびベース部材４０が回動することによって生ずる遠心力が、付勢部材３２５の付勢力を超えることにより第二装飾体３２が第二方向に回動するように設定されているが、第一装飾体３１による押圧力のみによって第二装飾体３２が第二方向に回動するように設定されていてもよい。
【００６３】
つまり、駆動部１０の動力が軸部材２０および連結部材６０を介して第一装飾体３１まで伝わったときにおける第一装飾体３１が第二装飾体３２を押圧する力のみにより、付勢部材３２５の付勢力に抗して第二装飾体３２が第二方向に回動し、これに合わせて第一装飾体３１が第一方向に回動するようにしてもよい。この場合、第一装飾体３１の第一シャフト３１１が対応する第一スライド部４１の他端に到達し、第二装飾体３２の第二シャフト３２１が対応する第二スライド部４２の他端に到達した後（それ以上両装飾体が回動できない状態となった後）、駆動部１０の動力（軸部材２０の回動）がベース部材４０に伝わり、ベース部材４０が回動する（開いた状態にある「花」が回動する）ことになる。このように、少なくとも第一装飾体３１による押圧力により第二装飾体３２が第二方向に回動するように構成すればよい。遠心力を利用すればベース部材４０が回動した後に「花」が開いた状態となる構成となり、第一装飾体３１による押圧力のみを利用すれば「花」が開いた状態となった後ベース部材４０が回動する構成となる。
【００６４】
制御手段は、発光部７０の光源７２を点灯させ、ベース部材４０および形態変化部３０を後方から照らす。この光源７２を点灯させるタイミングは、適宜設定可能である。例えば、形態変化部３０が第一形態から第二形態まで変化するに至るまでの間ずっと光源７２を点灯させるように制御してもよいし、形態変化部３０が第二形態に至った瞬間（「花」が開いた瞬間）に光源７２を点灯させるように制御してもよい。
【００６５】
本実施形態では、ベース部材４０の側壁４５に開口部４５１が形成されているから、発光部７０から出射された光は、反射部４７によって拡散され、この開口部４５１から漏れ出る。上述したように、第二形態にある形態変化部３０の装飾体の一部（本実施形態では第二装飾体３２の一部）はベース部材４０の外縁よりも外側に突出するが、この突出した部分は、この開口部４５１から漏れ出た光に照らされる。すなわち、形態変化部３０におけるベース部材４０に重なる部分だけでなく、ベース部材４０に重なっていない突出した部分も発光部７０からの光によって照らされる綺麗な役物となる。また、形態変化部３０が「花」が開いた状態である第二形態にあっても、ベース部材４０の前面には常に形態変化部３０（装飾体）が存在するため、発光部７０からの光が直接遊技者に届くことはない。つまり、発光部７０からの光はベース部材４０のみならず形態変化部３０も介して遊技者に届くため、光の明暗が生じにくい。ゆえに、形態変化部３０による綺麗な演出を提供することが可能となる。
【００６６】
２）第二形態から第一形態への形態変化動作
形態変化部３０が第二形態にあるとき、形態変化部３０を構成する第一装飾体３１および第二装飾体３２は、開いた状態の「花」を構築する。このとき、第一装飾体３１の第一シャフト３１１（第一スライド体３１２）は、対応する第一スライド部４１の他端に位置する。また、第二装飾体３２の第二シャフト３２１（第二スライド体３２２）は、対応する第二スライド部４２の他端に位置する。
【００６７】
第二形態にある形態変化部３０を第一形態に変化させる際には、制御手段は駆動部１０を動作させ、軸部材２０を他方に回動（逆転）させる。軸部材２０が他方に回動すると、その先端に固定された連結部材６０も当該方向に回動しようとする。連結部材６０が当該方向に回動しようとすると、連結部材６０の各第一シャフト挿通孔６２に挿通された各第一シャフト３１１が当該方向へ移動しようとする。つまり、駆動部１０の動力が各第一シャフト３１１を通じて第一装飾体３１まで伝達される。上記駆動部１０の動力が伝達された第一装飾体３１は、第一シャフト３１１を第一スライド部４１に係合させながら、第一支点（第一装飾体支持軸４８および第一軸受部３１４）を中心（軸）として第一方向の反対方向に回動する。
【００６８】
このとき、ベース部材４０は、軸部材２０が回動する方向と同じ方向である図１２に示した矢印Ｃ２の方向の力を第一シャフト３１１から受けるが、上記ロック機構によりベース部材４０の同方向への回動は阻止されており、ベース部材４０が同方向に回動することはない。したがって、各第一シャフト３１１は、回動が規制されたベース部材４０に形成された各第一スライド部４１を他端から一端に向かってスライドする。
【００６９】
第一装飾体３１が第一支点（第一装飾体支持軸４８および第一軸受部３１４）を中心（軸）として第一方向の反対方向に回動すると、付勢部材３２５によって第一装飾体３１に近づく方向に付勢されている第二装飾体３２も第二支点（第二装飾体支持軸４９および第二軸受部３２４）を中心（軸）として回動する。つまり、第一装飾体３１の第一方向の反対方向への回動に伴って、第二装飾体３２が第二シャフト３２１を第二スライド部４２に係合させながら第二方向の反対方向に回動する。第一装飾体３１は、その第一シャフト３１１（第一スライド体３１２）が対応する第一スライド部４１の一端に位置するまで回動する。第二装飾体３２は、その第二シャフト３２１（第二スライド体３２２）が対応する第二スライド部４２の一端に位置するまで回動する。
【００７０】
第一装飾体３１が第一方向の反対方向に回動すると、第一シャフト３１１が対応する第一スライド部４１の一端に到達する。同様に第二装飾体３２が第二方向の反対方向に回動すると、第二シャフト３２１が対応する第二スライド部４２の一端に到達する。つまり、形態変化部３０によって「花」の閉じた状態である第一形態が構築される。第一形態においては、形態変化部３０を構成する両装飾体の全部がベース部材４０の外縁よりも内側にある状態となる。
【００７１】
なお、かかる第二形態から第一形態へ形態変化部３０を変化させる際（変化させたとき）に、制御手段により、発光部７０の光源７２を消灯させるようにしてもよい。この光源７２を消灯させるタイミングは、適宜設定可能である。例えば、形態変化部３０が第一形態に至った瞬間（「花」が閉じた瞬間）に光源７２を消灯させるように制御すればよい。
【００７２】
（本実施形態の主な作用効果）
以上説明した本発明にかかる遊技機１によれば、次のような作用効果が奏される。
【００７３】
本実施形態にかかる遊技機１によれば、形態変化部３０が第一形態から第二形態へと変化する際、付勢部材３２５によって付勢された第二装飾体３２が少なくとも第一装飾体３１による押圧力により回動するとともに、回動する軸部材２０に連結された第一装飾体３１も回動する。このように、第二装飾体３２を第一装飾体３１の方向に付勢する付勢部材３２５の付勢力に抗して第二装飾体３２および第一装飾体３１が回動する構成であるから、装飾体（形態変化部３０）の第一シャフト３１１、第二シャフト３２１や、ベース部材４０の第一スライド部４１、第二スライド部４２等に対する負荷を抑制することが可能になる。
【００７４】
形態変化部３０を第二形態から第一形態に変化させる（戻す）際には、ベース部材４０の回動（空回り）を規制する必要があるところ、本実施形態のように第一ロック部４６と第二ロック部８０との噛み合いによってベース部材４０の回動が規制される構成とすれば、当該ロック部４６、８０にかかる負荷を抑制することが可能となる。
【００７５】
形態変化部３０の変化の態様は、第一スライド部４１の形状と第二スライド部４２の形状によって決まるところ、本実施形態のように第一スライド部４１の形状と第二スライド部４２の形状を異なる形状とすることにより、形態変化部３０の変化の態様を自在に設定することが可能となる。例えば、本実施形態のように第二方向が軸部材２０の中心側から外側に向かう方向となるように第二スライド部４２が形成されていれば、軸部材２０の回動に伴って装飾体が段々と外側に広がるような形態変化部３０の変化の態様となる。
【００７６】
また、ある装飾体組を構成する第一装飾体３１が隣り合う別の装飾体組を構成する第二装飾体３２に重なるため、ベース部材４０の前面の殆どが常に（第一形態および第二形態のいずれの状態であっても）装飾体で覆われた綺麗な形態変化部３０となる。
【００７７】
また、形態変化部３０が第一形態にあるときに第一シャフト３１１および第二シャフト３２１が第一スライド部４１および第二スライド部４２の一端に位置し、形態変化部３０が第二形態にあるときに第一シャフト３１１および第二シャフト３２１が第一スライド部４１および第二スライド部４２の他端に位置する構成であるため、形態変化部３０の変化の大きさに合わせたスライド部の大きさにすることが可能である。
【００７８】
また、装飾体の全部がベース部材４０の外縁よりも内側にある状態から、装飾体の一部をベース部材４０の外縁より外側に突出させるように形態変化部３０を変化させることが可能である。
【００７９】
また、連結部材６０を用いることにより、連結部材６０を介して駆動部１０（軸部材２０）の回動力を簡単に第一シャフト３１１に伝達することが可能となる。
【００８０】
また、ベース部材４０に形成された複数の反射部４７により、後方の発光部７０から出射された光をあらゆる方向に拡散させることが可能となる。また、ベース部材４０に複数の開口部４５１が形成されており、反射部４７によって拡散された光は開口部４５１を通過して、ベース部材４０の外縁付近を照らすことになるため、上述のように装飾体の少なくとも一部をベース部材４０の外縁より外側に突出させるように形態変化部３０を変化させる構成とするのであれば、当該突出した装飾体の一部をも照らすことが可能となる。
【００８１】
以上、本発明の実施の形態について詳細に説明したが、本発明は上記実施の形態に何ら限定されるものではなく、本発明の要旨を逸脱しない範囲で種々の改変が可能である。
【００８２】
例えば、上記形態変化ユニット２における第一スライド部４１および第二スライド部４２の形状は一例であり、適宜変更可能である。
【００８３】
また、上記実施形態において、第一シャフト３１１は第一スライド体３１２を介して第一スライド部４１に係合し、第二シャフト３２１は第二スライド体３２２を介して第二スライド部４２に係合していることを説明したが、このようなスライド体を介さず、シャフトが直接スライド部に係合する構成としてもよい。
【００８４】
また、本実施形態では、第一シャフト３１１に付勢部材３２５の一端が、第二シャフト３２１に付勢部材３２５の他端が繋げられているが、付勢部材３２５（例えばねじりコイルばね）の一端をベース部材４０に、他端を第二シャフト３２１に繋げて付勢するなど、第一装飾体３１に接触する（近づく）方向に第二装飾体３２を付勢することができればどのような構成であってもよい。
【符号の説明】
【００８５】
１      遊技機
２      形態変化ユニット
１０    駆動部
２０    軸部材
３０    形態変化部
３１    第一装飾体
３１１  第一シャフト
３１３  押圧突起
３１４  第一軸受部
３２    第二装飾体
３２１  第二シャフト
３２３  被押圧部
３２４  第二軸受部
３２５  付勢部材
４０    ベース部材
４１    第一スライド部
４２    第二スライド部
４５１  開口部
４６    第一ロック部
４７    反射部
４８    第一装飾体支持軸（第一支点）
４９    第二装飾体支持軸（第二支点）
６０    連結部材
７０    発光部
７２    光源
８０    第二ロック部
【図１】
0005451811.tif 000002
【図２】
0005451811.tif 000003
【図３】
0005451811.tif 000004
【図４】
0005451811.tif 000005
【図５】
0005451811.tif 000006
【図６】
0005451811.tif 000007
【図７】
0005451811.tif 000008
【図８】
0005451811.tif 000009
【図９】
0005451811.tif 000010
【図１０】
0005451811.tif 000011
【図１１】
0005451811.tif 000012
【図１２】
0005451811.tif 000013